【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群とよりなり、広角端から望遠端への変倍のために、第１レンズ群が物体側へ移動し、第２レンズ群が第１レンズ群と第２レンズ群との間隔が広くなるように移動し、第３レンズ群が第２レンズ群と第３レンズ群の間隔が狭くなるように移動し、第４レンズ群が第３レンズ群と第４レンズ群の間隔が広角端より望遠端で狭くなるように移動し、第２レンズ群が物体側から順に、負の屈折力をもつ第１レンズ成分と負の屈折力をもつ第２レンズ成分と、正の屈折力をもつ第３レンズ成分と負の屈折力をもつ第４レンズ成分のいずれも互いに空気間隔をもって独立して配置された四つのレンズ成分よりなり、第３レンズ群が最も物体側に配置された正の屈折力をもつレンズ成分と最も像側に物体側と像側に空気間隔を有する独立した負レンズとを夫々配置された構成で、第４レンズ群が前群と後群とよりなり、前記前群が正の屈折力を有し前記後群が正レンズと負レンズとを有し前記正レンズと前記負レンズとの間に像側に凸のメニスカス形状の空気レンズを有し、下記条件（１）、（２）を満足するズームレンズ系。
（１）    ０．１６＜｜ｆ2 ｜／ｆ1 ＜０．２３
（２）    ５＜ｈ×ｚ／ΔＤ34＜２７
ただし、ｆ1 は第１レンズ群の焦点距離、ｆ2 は第２レンズ群の焦点距離、ｈは結像面での最大像高、ｚは広角端から望遠端の変倍比、ΔＤ34は広角端における第３レンズ群と第４レンズ群の空気間隔と望遠端における第３レンズ群と第４レンズ群の空気間隔の差である。
【請求項２】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が広角端より望遠端で狭くなるように移動し、第２レンズ群が、物体側より順に、負の屈折力の第１レンズ成分と負の屈折力の第２レンズ成分と正の屈折力の第３レンズ成分と負の屈折力の第４レンズ成分とよりなり、第３レンズ群が最も物体側に配置された正の屈折力のレンズ成分と最も像側に配置された物体側と像側に空気間隔がある独立した負レンズとを有し、第４レンズ群が前群と後群とよりなり、前記前群が正のパワーを有し、前記後群が正レンズと負レンズの間に挟まれた像側に凸のメニスカス形状の空気レンズを含み、下記条件（１）、（３）を満足するズームレンズ系。
（１）    ０．１６＜｜ｆ2 ｜／ｆ1 ＜０．２３
（３）    ０．０９＜Ｄ4 ／ｈ＜０．６
ただし、ｆ1 、ｆ2 は夫々第１レンズ群および第２レンズ群の焦点距離、Ｄ4 は第４レンズ群の前群の最も像側の面から後群の最も物体側の面の間の空気間隔である。
【請求項３】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が広角端より望遠端で狭くなるように移動し、第２レンズ群が、物体側より順に、負の屈折力の第１レンズ成分と負の屈折力の第２レンズ成分と正の屈折力の第３レンズ成分と負の屈折力の第４レンズ成分とよりなり、第３レンズ群が最も物体側に配置された正の屈折力のレンズ成分と最も像側に配置された物体側と像側に空気間隔がある独立した負レンズとを有し、第４レンズ群が前群と後群とよりなり、前記前群が正のパワーを有し、前記後群が正レンズと負レンズの間に挟まれた像側に凸のメニスカス形状の空気レンズを含み、下記条件（１）、（４）、（５）を満足するズームレンズ系。
（１）    ０．１６＜｜ｆ2 ｜／ｆ1 ＜０．２３
（４）    ０．６＜ｆ4F／ｆ4 ＜１．８
（５）    ４＜ｆ4F／Ｄ4 ＜３５
ただし、ｆ1 、ｆ2 は夫々第１レンズ群および第２レンズ群の焦点距離、ｆ4Fは第４レンズ群の前群の焦点距離、ｆ4 は第４レンズ群の焦点距離、Ｄ4 は第４レンズ群の前群の最も像側の面から後群の最も物体側の面の間の空気間隔である。
【請求項４】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が広角端より望遠端で狭くなるように移動し、第２レンズ群が、物体側より順に、負の屈折力の第１レンズ成分と負の屈折力の第２レンズ成分と正の屈折力の第３レンズ成分と負の屈折力の第４レンズ成分とよりなり、第３レンズ群が最も物体側に配置された正の屈折力のレンズ成分と最も像側に配置された物体側と像側に空気間隔がある独立した負レンズとを有し、第４レンズ群が前群と後群とよりなり、前記前群が物体側の面が凸の正のパワーを有する単レンズよりなり、前記後群が正レンズと負レンズの間に挟まれた像側に凸のメニスカス形状の空気レンズを含み、下記条件（１）を満足するズームレンズ系。
（１）    ０．１６＜｜ｆ2 ｜／ｆ1 ＜０．２３
ただし、ｆ1 、ｆ2 は夫々第１レンズ群および第２レンズ群の焦点距離である。
【請求項５】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が広角端より望遠端で狭くなるように移動し、第２レンズ群が、物体側より順に、負の屈折力の第１レンズ成分と負の屈折力の第２レンズ成分と正の屈折力の第３レンズ成分と負の屈折力の第４レンズ成分とよりなり、第３レンズ群が最も物体側に配置された正の屈折力のレンズ成分と最も像側に配置された物体側と像側に空気間隔がある独立した負レンズとを有し、第４レンズ群が前群と後群とよりなり、前記前群が正のパワーを有し、前記後群が正レンズと負レンズの間に挟まれた像側に凸のメニスカス形状の空気レンズを含み、前記第２レンズ群の第３レンズ成分が正レンズと負レンズを接合した接合レンズであり、下記条件（１）を満足するズームレンズ系。
（１）    ０．１６＜｜ｆ2 ｜／ｆ1 ＜０．２３
ただし、ｆ1 、ｆ2 は夫々第１レンズ群および第２レンズ群の焦点距離である。
【請求項６】
下記条件（６）を満足することを特徴とする請求項４のズームレンズ系。
（６）    νd ＞６０
ただし、νdは第４レンズ群の前記単レンズのアッベ数である。
【請求項７】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が狭くなるように移動し、第２レンズ群が物体側より順に、負の屈折力の第１レンズ成分と負の屈折力の第２レンズ成分と正の屈折力の第３レンズ成分と負の屈折力の第４レンズ成分とよりなり、第４レンズ群が前群と後群とよりなり、前記前群が正のパワーの単レンズとその後方に近接配置した負レンズとよりなり、前記前群の正レンズと負レンズが互いに向かい合う面の曲率半径が同符であり、下記条件（１）を満足することを特徴とするズームレンズ系。
（１）    ０．１６＜｜ｆ2 ｜／ｆ1 ＜０．２３
ただし、ｆ1は第１レンズ群の焦点距離、ｆ2は第２レンズ群の焦点距離である。
【請求項８】
第１レンズ群の最も物体側のレンズ成分が物体側から負レンズと正レンズを貼り合わせた接合レンズであることを特徴とする請求項１、２、３、４、５、６又は７のズームレンズ系。
【請求項９】
前記第４レンズ群の前群が物体側の面が凸の正のパワーを有する単レンズよりなり、下記条件（６）を満足することを特徴とする請求項１、２、３、５又は７のズームレンズ系。
（６）    νd ＞６０
ただし、νdは第４レンズ群の前記単レンズのアッベ数である。
【請求項１０】
物体側より順に、正の屈折力を有する第１レンズ群と、負の屈折力を有する第２レンズ群と、正の屈折力を有する第３レンズ群と、正の屈折力を有する第４レンズ群とよりなり、広角端より望遠端への変倍時に第１レンズ群が物体側へ移動し、第２レンズ群が第１レンズ群と第２レンズ群との間隔が広くなるように移動し、第３レンズ群が第２レンズ群と第３レンズ群との間隔が狭くなるように移動し、第４レンズ群が第３レンズ群と第４レンズ群との間隔が狭くなるように移動し、第２レンズ群が、物体側より順に、負の屈折力の第１レンズ成分と負の屈折力の第２レンズ成分と正の屈折力の第３レンズ成分と負の屈折力の第４レンズ成分とよりなり、前記第１レンズ群の最も物体側のレンズ成分が物体側から正レンズと負レンズを接合した接合レンズであり、下記条件（１）を満足することを特徴とするズームレンズ系。
（１）    ０．１６＜｜ｆ2 ｜／ｆ1 ＜０．２３
ただし、ｆ1は第１レンズ群の焦点距離、ｆ2は第２レンズ群の焦点距離である。
【請求項１１】
下記条件（３−１）を満足することを特徴とする請求項１、３、４、５、６又は７のズームレンズ系。
（３−１）    ０．０４５＜Ｄ4 ／ｈ＜０．６
ただしＤ4 は第４レンズ群の前群の最も像側の面から後群の最も物体側の面までの空気間隔である。
【請求項１２】
前記条件（２）の代りに下記条件（２−１）を満足することを特徴とする請求項１のズームレンズ系。
（２−１）    ８＜ｈ×ｚ／ΔＤ34＜２３
【請求項１３】
前記条件（３）又は（３−１）の代りに下記条件（３−２）を満足することを特徴とする請求項２又は１１のズームレンズ系。
（３−２）    ０．１２＜Ｄ4 ／ｈ＜０．４５
【請求項１４】
前記条件（４）の代りに下記条件（４−１）を満足することを特徴とする請求項３のズームレンズ系。
（４−１）    ０．６＜ｆ4F／ｆ4 ＜１．５
【請求項１５】
前記条件（５）の代りに下記条件（５−１）を満足することを特徴とする請求項３のズームレンズ系。
（５−１）    ５．５＜ｆ4F／Ｄ4 ＜３０
【手続補正２】
【補正対象書類名】明細書
【補正対象項目名】００７９
【補正方法】変更
【補正の内容】
【００７９】
実施例２、３、４は、夫々図２、３、４に示すようにいずれも実施例１と類似する構成のズームレンズ系である。
【手続補正３】
【補正対象書類名】明細書
【補正対象項目名】００８０
【補正方法】変更
【補正の内容】
【００８０】
実施例５、６は夫々図５、図６に示す通りの構成で、第２レンズ群Ｇ２の第３レンズ成分Ｌ２３が正レンズと負レンズとを貼り合わせた接合レンズである点で実施例１と異なるが、他の構成は実施例１と類似する構成である。
【手続補正４】
【補正対象書類名】明細書
【補正対象項目名】００８２
【補正方法】変更
【補正の内容】
【００８２】
実施例８、９、１０は夫々図８、９、１０に示すように実施例５、６と同様の構成のズームレンズである。
【手続補正５】
【補正対象書類名】明細書
【補正対象項目名】００８３
【補正方法】変更
【補正の内容】
【００８３】
実施例１１は、図１１に示すレンズ系で、実施例５、６と類似の構成であるが、第４レンズ群Ｇ４の前群が、正レンズと負レンズの２枚のレンズよりなりしかもこれら正レンズと負レンズが接合されている点で実施例６とは異なっている。
【手続補正６】
【補正対象書類名】明細書
【補正対象項目名】００８４
【補正方法】変更
【補正の内容】
【００８４】
実施例１２は、図１２に示すレンズ構成のズームレンズ系で、実施例５、６と類似の構成である。
【手続補正７】
【補正対象書類名】図面
【補正対象項目名】図１
【補正方法】変更
【補正の内容】
【図１】
2000275523.tif 000001
【手続補正８】
【補正対象書類名】図面
【補正対象項目名】図６
【補正方法】変更
【補正の内容】
【図６】
2000275523.tif 000002
【手続補正９】
【補正対象書類名】図面
【補正対象項目名】図９
【補正方法】変更
【補正の内容】
【図９】
2000275523.tif 000003